(57)【要約】【課題】  本発明は、事務所、研究所、銀行その他の執務所で簡便に取り扱うことができ、且つ、完璧に秘密漏洩を防ぐことが可能な書類解繊装置に適用可能な回転羽を得ることを目的とする。【解決手段】  基板２を有し、この基板２における長手方向の両端近傍の上面に垂直解繊刃体３、３を屹立させ、一方、前記基板２のほぼ中央部には筒体５を突設させ、この筒体５に水平解繊刃体６を設け、且つ、前記筒体５の最上部には閉塞板８を前記筒体５と一体的に形成し、前記閉塞板８のほぼ中央に取り付け用のボルトを挿通する穿孔を穿設して書類解繊装置用回転羽１を構成する。【選択図】      図1
2006305434.tif 000002
【特許請求の範囲】
【請求項１】
基板を有し、該基板における長手方向の両端近傍の上面に垂直解繊刃体を屹立させ、一方、前記基板のほぼ中央部には筒体を突設させ、該筒体に水平解繊刃体を設け、且つ、前記筒体の最上部には閉塞板を前記筒体と一体的に形成し、前記閉塞板のほぼ中央に取り付け用のボルトを挿通する穿孔を穿設してある書類解繊装置用回転羽。
【請求項２】
基板を有し、該基板における長手方向の両端近傍の上面に鱶鰭形状若しくは飛行機の垂直尾翼形状の垂直解繊刃体を屹立させ、一方、前記基板のほぼ中央部には筒体を突設させ、該筒体の最上部近傍と、これよりもやや下がった位置に略プロペラの羽根状の水平解繊刃体を段違いに設け、且つ、前記筒体の最上部には閉塞板を前記筒体と一体的に形成し、前記閉塞板のほぼ中央に取り付け用のボルトを挿通する穿孔を穿設してある書類解繊装置用回転羽。
【発明の詳細な説明】
【技術分野】
【０００１】
本発明は、書類解繊装置用回転羽に関し、特に、事務所、研究所、銀行その他の執務所で機密書類を処理して秘密漏洩を防ぐために好適に使用することができる書類解繊装置のための回転羽に係る。
【背景技術】
【０００２】
機密書類を処理して秘密漏洩を防ぐために、一般に、シュレッダーという紙の破砕装置が利用されている。（例えば、特許文献１参照）。
【特許文献１】特開平０５−２７７３９２号
【発明の開示】
【発明が解決しようとする課題】
【０００３】
ところで、機密書類をシュレッダーで処理した場合、処理後に残る物は紙の細片であり、多くの時間をかけて丹念に細片を編集して行くと、元の書類を再現させることができるので、秘密漏洩を困難にすることはできても、完璧に秘密漏洩を防ぐことはできないという欠点があった。
【０００４】
そこで、本発明は、事務所、研究所、銀行その他の執務所で簡便に取り扱うことができ、且つ、完璧に秘密漏洩を防ぐことが可能な書類解繊装置に適用可能な回転羽を得ることを目的とする。
【課題を解決するための手段】
【０００５】
上記の課題を解決するために本発明では、以下のような構成を採用した。
すなわち、基板を有し、この基板における長手方向の両端近傍の上面に垂直解繊刃体を屹立させ、一方、前記基板のほぼ中央部には筒体を突設させ、この筒体に水平解繊刃体を設け、且つ、前記筒体の最上部には閉塞板を前記筒体と一体的に形成し、前記閉塞板のほぼ中央に取り付け用のボルトを挿通する穿孔を穿設して書類解繊装置用回転羽を構成する。
【０００６】
また、もっと具体的には、基板を有し、この基板における長手方向の両端近傍の上面に鱶鰭形状若しくは飛行機の垂直尾翼形状の垂直解繊刃体を屹立させ、一方、前記基板のほぼ中央部には筒体を突設させ、この筒体の最上部近傍と、これよりもやや下がった位置に略プロペラの羽根状の水平解繊刃体を段違いに設け、且つ、前記筒体の最上部には閉塞板を前記筒体と一体的に形成し、前記閉塞板のほぼ中央に取り付け用のボルトを挿通する穿孔を穿設して書類解繊装置用回転羽を構成する場合もある。
【発明の効果】
【０００７】
本発明の書類解繊装置用回転羽は、垂直解繊刃体と水平解繊刃体とを設けて構成したので、書類に対し垂直方向と水平方向の破砕を同時に行うことができるので、非常に効率よく書類を解繊することができる。
【発明を実施するための最良の形態】
【０００８】
以下、図面を参照しながら本発明の実施形態を説明する。
図１は、本発明の実施形態の書類解繊装置用回転羽を示す斜視図であり、図２は書類解繊装置用回転羽の平面図である。両図において、回転羽１は基板２を有し、この基板２における長手方向の両端近傍の上面には鱶鰭（フカヒレ）形状若しくは飛行機の垂直尾翼（fin）形状の垂直解繊刃体３、３を屹立させてある。前記基板２の一部は折り曲げて折り曲げ部４、４に形成してあり、回転羽１を回転させる際には、前記折り曲げ部４、４が被解繊物（書類）を外側へ押し出す方向に回転方向を設定する。また、図面から明らかではあるが、前記垂直解繊刃体３、３の最長辺は前記折り曲げ部４、４側に向けてある。なお、前記垂直解繊刃体３、３の形状は三角形、五角形その他の多角形にすることもできる。
【０００９】
一方、前記基板２のほぼ中央部には筒体５を突設させてあり、この筒体５の最上部近傍と、これよりもやや下がった位置に略プロペラの羽根状の水平解繊刃体６、６を段違いに設けてある。なお、前記水平解繊刃体６、６は真上から見ると、前記基板２の長手方向の辺とほぼ直交する位置関係に保持してある。また、前記水平解繊刃体６、６は段違いに設けず同一平面内に設けたり、一方を省き一つの水平解繊刃体６を設けることもある。
【００１０】
更に、水平解繊刃体６、６は先端に向かうにつれて、若干反り上がるように曲げて形成してもよい。
上側の水平解繊刃体６と下側の水平解繊刃体６との間の前記筒体５の部位には帯状体７を止着してあり、この帯状体７は前記回転羽１がタンク内で回転され、書類の解繊が進むにつれて繊維状に解繊された物が上にせり上がって来るのを防止する役目を果たす。
【００１１】
前記筒体５の最上部には閉塞板８を前記筒体５と一体的に形成してあり、前記閉塞板８のほぼ中央に穿孔を穿設してある。そして、前記穿孔にはフランジ付きのボルト９が挿通され、このボルトにより、前記回転羽１は、例えば、図３に示す如き書類解繊装置のタンクの底部に設けられる回転動力機構（例えば、モータ）に連結状態に固定される。
【００１２】
図３は前記回転羽１を適用し得る書類解繊装置を示す斜視図である。この書類解繊装置10は略８の字形の空洞を有するタンク１１を備えている。そして、図面には表れていないが、左右の円筒形の空洞部の底部に回転動力機構を設けてある。従って、前記書類解繊装置10には二つの前記回転羽１が取り付けられる。
【００１３】
而して、前記回転羽１が取り付けられた書類解繊装置10のタンク１１内に書類と適量の水を入れ、運転を開始すると、前記回転羽１が回転し、それに伴って、前記垂直解繊刃体３、３が書類を垂直方向に破砕する。また、同時に、前記水平解繊刃体６、６は書類を水平方向に破砕する。このように、前記回転羽１は書類に対し垂直方向と水平方向の破砕を同時に行うことができるので、非常に効率よく書類を解繊することができる。さらに、前記水平解繊刃体６、６を段違いに設けた場合には、それぞれが違った水平面内にある書類を破砕するので、一層書類の解繊効率を向上させることができる。
【図面の簡単な説明】
【００１４】
【図１】本発明の実施形態の書類解繊装置用回転羽を示す斜視図である。
【図２】本発明の実施形態の書類解繊装置用回転羽を示す平面図である。
【図３】本発明の回転羽を適用し得る書類解繊装置を示す斜視図である。
【符号の説明】
【００１５】
１      回転羽
２      基板
３      垂直解繊刃体
４      折り曲げ部
５      筒体
６      水平解繊刃体
７      帯状体
８      閉塞板
９      ボルト
１０    書類解繊装置
１１    タンク
【図１】
2006305434.tif 000003
【図２】
2006305434.tif 000004
【図３】
2006305434.tif 000005